(57)【要約】【課題】不要なセルサーチを低減し、消費電力の低減を図ることが可能な無線装置を提供する。【解決手段】無線装置（ＳＴＡ）は、無線基地局（ＡＰ１、ＡＰ２）と無線通信を行う無線装置（ＳＴＡ）であって、無線装置（ＳＴＡ）が静止状態か否かを判断し、無線装置（ＳＴＡ）が静止状態と判断した場合に、セルサーチを行わないように制御する。【選択図】図１
2008187523.tif 000002
【特許請求の範囲】
【請求項１】
無線基地局と無線通信を行う無線装置であって、
前記無線装置が静止状態か否かを判断する判断手段と、
前記無線装置が静止状態と判断した場合に、セルサーチを行わないように制御する制御手段と、を有することを特徴とする無線装置。
【請求項２】
前記制御手段は、前記無線基地局の電波を受信している状態で、前記無線装置が静止状態と判断した場合に、セルサーチを行わないように制御することを特徴とする請求項１記載の無線装置。
【請求項３】
前記無線装置が静止状態と判断した場合に、前記無線装置を制御する制御部に供給するクロック周波数を低減するクロック低減手段を有することを特徴とする請求項１または２記載の無線装置。
【請求項４】
前記無線装置の加速度を測定する加速度センサを有し、
前記判断手段は、前記加速度を基に、前記無線装置が静止状態か否かを判断することを特徴とする請求項１記載の無線装置。
【請求項５】
前記無線装置の位置情報を取得する位置情報取得手段を有し、
前記判断手段は、前記位置情報を基に、前記無線装置が静止状態か否かを判断することを特徴とする請求項１記載の無線装置。
【請求項６】
前記無線装置の振動数を計数する計数手段を有し、
前記判断手段は、前記振動数を基に、前記無線装置が静止状態か否かを判断することを特徴とする請求項１記載の無線装置。
【請求項７】
前記無線装置の周辺の状況を撮像する撮像手段を有し、
前記判断手段は、前記周辺の状況を基に、前記無線装置が静止状態か否かを判断することを特徴とする請求項１記載の無線装置。
【請求項８】
無線基地局と無線通信を行う無線装置で行う消費電力制御方法であって、
前記無線装置が静止状態か否かを判断する判断工程と、
前記無線装置が静止状態と判断した場合に、セルサーチを行わないように制御する制御工程と、を前記無線装置が行うことを特徴とする消費電力制御方法。
【請求項９】
無線基地局と無線通信を行う無線装置に実行させる消費電力制御プログラムであって、
前記無線装置が静止状態か否かを判断する判断処理と、
前記無線装置が静止状態と判断した場合に、セルサーチを行わないように制御する制御処理と、を前記無線装置に実行させることを特徴とする消費電力制御プログラム。
【発明の詳細な説明】
【技術分野】
【０００１】
本発明は、携帯電話機、ＰＨＳ（Personal Handy phone System）、ＰＤＡ（Personal Data Assistance，Personal Digital Assistants）等の無線装置に関し、特に、不要なセルサーチを低減し、消費電力の低減を可能とする無線装置、消費電力制御方法及び消費電力制御プログラムに関するものである。
【背景技術】
【０００２】
第３世代の移動体通信方式として、Ｗ−ＣＤＭＡ（Wideband Code Division Multiple Access）等の通信方式を用いた通信システムが開発され、音声、パケット通信などのサービスに適用されている。
【０００３】
近年、無線基地局数は、増加しているものの、無線装置は、複数の無線基地局の電波を受信してしまうことにより、不要なセルサーチを繰り返し、無線装置の消費電力が増大することになる。
【０００４】
また、近年の無線装置は、小型化・軽量化が図られていると共に、様々な機能を搭載していることから、無線装置における消費電力を低減することが必要視されているのが現状である。
【０００５】
なお、本発明より先に出願された技術文献として、移動端末に該移動端末が移動しているときに検知信号を出す移動センサーを内蔵し、該移動センサーからの前記検知信号により位置登録を許容する制御を行わしめるように構成された移動通信における位置登録方式について開示された文献がある（例えば、特許文献１参照）。
【０００６】
また、不要なハンドオーバ制御回数を抑制して、無線移動局の消費電力を低減できると共に無線システム全体の負荷を低減して安定な通信を維持することを可能とする移動通信制御方法について開示された文献がある（例えば、特許文献２参照）。
【０００７】
また、検知手段の検知データを利用するアプリケーションプログラムの開発を容易化し、この検知手段を備えた移動体通信端末の有用性を高めた技術について開示された文献がある（例えば、特許文献３参照）。
【特許文献１】特開平２−５０５３２号公報
【特許文献２】特開２００４−２０１００１号公報
【特許文献３】特開２００５−１６７７５８号公報
【発明の開示】
【発明が解決しようとする課題】
【０００８】
しかしながら、上記特許文献１〜３には、不要なセルサーチを低減し、消費電力の低減を図る点については何ら記載もその必要性についても示唆されていない。
【０００９】
本発明は、上記事情に鑑みてなされたものであり、不要なセルサーチを低減し、消費電力の低減を図ることが可能な無線装置、消費電力制御方法及び消費電力制御プログラムを提供することを目的とするものである。
【課題を解決するための手段】
【００１０】
かかる目的を達成するために、本発明は、以下の特徴を有することとする。
【００１１】
本発明にかかる無線装置は、無線基地局と無線通信を行う無線装置であって、無線装置が静止状態か否かを判断する判断手段と、無線装置が静止状態と判断した場合に、セルサーチを行わないように制御する制御手段と、を有することを特徴とする。
【００１２】
また、本発明にかかる無線装置において、制御手段は、無線基地局の電波を受信している状態で、無線装置が静止状態と判断した場合に、セルサーチを行わないように制御することを特徴とする。
【００１３】
また、本発明にかかる無線装置は、無線装置が静止状態と判断した場合に、無線装置を制御する制御部に供給するクロック周波数を低減するクロック低減手段を有することを特徴とする。
【００１４】
また、本発明にかかる無線装置は、無線装置の加速度を測定する加速度センサを有し、判断手段は、加速度を基に、無線装置が静止状態か否かを判断することを特徴とする。
【００１５】
また、本発明にかかる無線装置は、無線装置の位置情報を取得する位置情報取得手段を有し、判断手段は、位置情報を基に、無線装置が静止状態か否かを判断することを特徴とする。
【００１６】
また、本発明にかかる無線装置は、無線装置の振動数を計数する計数手段を有し、判断手段は、振動数を基に、無線装置が静止状態か否かを判断することを特徴とする。
【００１７】
また、本発明にかかる無線装置は、無線装置の周辺の状況を撮像する撮像手段を有し、判断手段は、周辺の状況を基に、無線装置が静止状態か否かを判断することを特徴とする。
【００１８】
また、本発明にかかる消費電力制御方法は、無線基地局と無線通信を行う無線装置で行う電力制御方法であって、無線装置が静止状態か否かを判断する判断工程と、無線装置が静止状態と判断した場合に、セルサーチを行わないように制御する制御工程と、を無線装置が行うことを特徴とする。
【００１９】
また、本発明にかかる消費電力制御プログラムは、無線基地局と無線通信を行う無線装置に実行させる電力制御プログラムであって、無線装置が静止状態か否かを判断する判断処理と、無線装置が静止状態と判断した場合に、セルサーチを行わないように制御する制御処理と、を無線装置に実行させることを特徴とする。
【発明の効果】
【００２０】
本発明によれば、不要なセルサーチを低減し、消費電力の低減を図ることが可能となる。
【発明を実施するための最良の形態】
【００２１】
まず、図１〜図３を参照しながら、本実施形態の無線装置（ＳＴＡ）の特徴について説明する。
【００２２】
本実施形態における無線装置（ＳＴＡ）は、無線基地局（ＡＰ１、ＡＰ２）と無線通信を行う無線装置（ＳＴＡ）であって、無線装置（ＳＴＡ）が静止状態か否かを判断し、無線装置（ＳＴＡ）が静止状態と判断した場合に、セルサーチを行わないように制御する。これにより、不要なセルサーチを低減し、消費電力の低減を図ることが可能となる。
【００２３】
例えば、図１に示すように、無線装置（ＳＴＡ）は、同じ受信レベルの電波を２つの無線基地局（ＡＰ１、ＡＰ２）から受信しているものとする。なお、無線装置（ＳＴＡ）は、静止している状態とする。
【００２４】
このとき、２つの無線基地局（ＡＰ１、ＡＰ２）から無線装置（ＳＴＡ）が受信する電波の受信レベルは、フェージングなどの影響により、時々刻々と入れ替わり、例えば、図２に示すように、無線基地局（ＡＰ１）から受信する電波の受信レベルが、無線基地局（ＡＰ２）から受信する電波の受信レベルよりも高い場合には、従来の無線装置（ＳＴＡ）は、受信レベルの高い無線基地局（ＡＰ１）にセルリセレクション（通信する無線基地局の移動）を行うことになる。
【００２５】
また、図３に示すように、無線基地局（ＡＰ２）から受信する電波の受信レベルが、無線基地局（ＡＰ１）から受信する電波の受信レベルよりも高い場合には、従来の無線装置（ＳＴＡ）は、受信レベルの高い無線基地局（ＡＰ２）にセルリセレクションを行うことになる。
【００２６】
このように、従来の無線装置（ＳＴＡ）は、受信レベルの高い無線基地局（ＡＰ）へセルリセレクションをすることになるため、無線装置（ＳＴＡ）が受信している２つの無線基地局（ＡＰ１、ＡＰ２）の電波の受信レベルが入れ替わる度に、セルリセレクションを繰り返し、無線装置（ＳＴＡ）の電力の消耗が激しくなってしまうことになる。
【００２７】
このため、本実施形態における無線装置（ＳＴＡ）は、どちらか一方の無線基地局（ＡＰ１、ＡＰ２）から電波を受信している場合に、無線装置（ＳＴＡ）が静止状態の場合には、セルサーチを実施せず、無線装置（ＳＴＡ）が移動状態の場合には、セルサーチを実施するように制御する。
【００２８】
これにより、無線装置（ＳＴＡ）が静止状態の場合には、セルサーチを実施せず、セルサーチの回数を低減することが可能となる。従って、不要なセルサーチを低減し、消費電力の低減を図ることが可能となる。以下、添付図面を参照しながら、本実施形態の無線装置（ＳＴＡ）について詳細に説明する。
【００２９】
＜無線装置：ＳＴＡの内部構成＞
まず、図４を参照しながら、本実施形態の無線装置（ＳＴＡ）の内部構成について詳細に説明する。
【００３０】
本実施形態における無線装置（ＳＴＡ）は、アンテナ（１）と、無線部（２）と、制御部（３）と、クロック部（４）と、加速度センサ（５）と、表示部（６）と、カメラ（７）と、キー操作部（８）と、ＲＡＭ（９）と、ＲＯＭ（１０）と、を有して構成している。
【００３１】
＜アンテナ：１＞
アンテナ（１）は、外部の無線基地局から電波を受けて受信信号を生成し、該生成した受信信号を無線部（２）に送信する。また、アンテナ（１）は、無線部（２）からの送信信号を受けて電波として外部の無線基地局に送信することになる。
【００３２】
＜無線部：２＞
無線部（２）は、アンテナ（１）からの受信信号を制御部（３）に送信する。また、無線部（２）は、制御部（３）からの送信信号をアンテナ（１）に送信することになる。
【００３３】
＜制御部：３＞
制御部（３）は、無線装置（ＳＴＡ）の制御を行うものである。
【００３４】
＜クロック部：４＞
クロック部（４）は、クロック周波数を制御部（３）に供給するものである。なお、制御部『ＣＰＵ』（３）は、クロック部（４）から供給されたクロック周波数を基に、無線装置（ＳＴＡ）の制御を行うことになる。
【００３５】
＜加速度センサ：５＞
加速度センサ（５）は、無線装置（ＳＴＡ）の加速度を測定するものである。なお、制御部（３）は、加速度センサ（５）により測定した加速度を基に、無線装置（ＳＴＡ）が移動状態か静止状態かを判断することになる。
【００３６】
＜表示部：６＞
表示部（６）は、画像データを表示させるためのものであり、制御部（３）からの画像信号に基づいて画像を表示することになる。
【００３７】
＜カメラ：７＞
カメラ（７）は、外部の映像データを撮影するものであり、カメラ（７）で撮影された映像データ（静止画、動画）の画像信号を生成し、制御部（３）に送信することになる。
【００３８】
＜キー操作部：８＞
キー操作部（８）は、各種機能の選択や、無線装置（ＳＴＡ）の機能を操作するものであり、キー操作部（８）から制御部（３）に操作信号を送信することになる。
【００３９】
＜ＲＡＭ：９＞
ＲＡＭ（９）は、所定のアプリケーションプログラムを起動した際に、そのプログラムを実行する際に使用する画像信号や音声信号等の情報を一時的に記録し、情報の読み書きを行うための作業領域となる記憶部である。なお、アクセススピードの速いＤＤＲやＲＤ等のデバイスを適用することで、情報処理の高速化を図ることが可能となる。
【００４０】
＜ＲＯＭ：１０＞
ＲＯＭ（１０）は、無線装置（ＳＴＡ）の制御を行うための制御プログラム、アプリケーション等の情報を記録するためのものである。なお、図４に示す無線装置（ＳＴＡ）の構成では、ＲＯＭ（１０）内に各種情報を格納したが、ＲＯＭ（１０）に格納した情報を、ＰＲＯＭ（Programmable ROM）やフラッシュメモリ内に格納し、各種情報を書き換え可能にすることも可能である。これにより、ユーザが、無線装置（ＳＴＡ）の具備するキー操作部（８）を用いて、任意に情報を書き換えることが可能となる。なお、ＰＲＯＭとしては、ＥＰＲＯＭ（Electrically Programmable ROM）やＥＥＰＲＯＭ（Electrically Erasable Programmable ROM）等が挙げられる。また、フラッシュメモリとしては、ＮＡＮＤフラッシュメモリが挙げられる。また、ＨＤＤのような記憶デバイスに格納することも可能である。
【００４１】
＜無線装置：ＳＴＡにおける制御動作＞
次に、図５を参照しながら、本実施形態の無線装置（ＳＴＡ）における制御動作について詳細に説明する。
【００４２】
まず、無線装置（ＳＴＡ）は、受信レベルの良い無線基地局（例えば、ＡＰ１）に位置登録し、以下の処理を行うことになる。
【００４３】
無線装置（ＳＴＡ）は、時間『Ｔ１』毎に加速度センサ（５）を制御し、加速度センサ（５）により加速度を測定する。そして、無線装置（ＳＴＡ）は、加速度センサ（５）により測定した加速度を取得する（ステップＳ１）。
【００４４】
次に、無線装置（ＳＴＡ）は、加速度センサ（５）により測定した加速度が０（加速度＝０）であるか否かを判断する（ステップＳ２）。
【００４５】
無線装置（ＳＴＡ）は、加速度＝０であると判断した場合は（ステップＳ２／Ｙｅｓ）、無線装置（ＳＴＡ）が静止状態と判断し、セルサーチを実施せず、『Ｓｔａｒｔ』に戻る。
【００４６】
また、無線装置（ＳＴＡ）は、加速度＝０でないと判断した場合は（ステップＳ２／Ｎｏ）、無線装置（ＳＴＡ）が移動状態と判断し、セルサーチを実施する（ステップＳ３）。
【００４７】
次に、無線装置（ＳＴＡ）は、ステップＳ３において実施したセルサーチの結果を基に、セルリセレクションを実行するか否かを判断する（ステップＳ４）。
【００４８】
例えば、セルサーチの結果を基に、無線装置（ＳＴＡ）が現在位置登録している無線基地局（ＡＰ１）よりも受信レベルの高い他の無線基地局（例えば、ＡＰ２）が存在する場合は、セルリセレクションを実行すると判断し、無線装置（ＳＴＡ）が現在位置登録している無線基地局（ＡＰ１）よりも受信レベルの高い他の無線基地局（ＡＰ２）が存在しない場合は、セルリセレクションを実行しないと判断する。
【００４９】
無線装置（ＳＴＡ）は、セルリセレクションを実行しないと判断した場合は（ステップＳ４／Ｎｏ）、『Ｓｔａｒｔ』に戻る。
【００５０】
また、セルリセレクションを実行すると判断した場合は（ステップＳ４／Ｙｅｓ）、セルサーチの結果を基に、無線装置（ＳＴＡ）が現在位置登録している無線基地局（ＡＰ１）よりも受信レベルの高い無線基地局（ＡＰ２）に移動（セルリセレクションを実施）し（ステップＳ５）、『Ｓｔａｒｔ』に戻る。
【００５１】
このように、本実施形態における無線装置（ＳＴＡ）は、加速度センサ（５）により測定した加速度を基に、無線装置（ＳＴＡ）が移動状態か静止状態かを判断し、無線装置（ＳＴＡ）が移動状態と判断した場合は、セルサーチを実施し、無線装置（ＳＴＡ）が静止状態と判断した場合は、セルサーチを実施しないように制御する。
【００５２】
これにより、無線装置（ＳＴＡ）が静止状態の場合には、不要なセルサーチやセルリセレクションを行うことがないため、無線装置（ＳＴＡ）の消費電力を低減することが可能となる。
【００５３】
なお、加速度センサ（５）の消費電力は、セルサーチやセルリセレクション実行時の消費電力に比べて少ないため、上述した図５に示す制御動作を行っても、従来よりも無線装置（ＳＴＡ）の消費電力を低減することが可能となる。
【００５４】
また、上述した実施形態においては、加速度＝０であるか否かで、無線装置（ＳＴＡ）が移動状態か静止状態かを判断することにしたが、加速度＝０ではなく、所定の誤差（Δ）を考慮して、無線装置（ＳＴＡ）が移動状態か静止状態かを判断するように構築することも可能である。
【００５５】
なお、上記特許文献１には、移動端末が移動していないことを検知することにより、位置登録信号を発射しないようにする技術について開示されている。
【００５６】
しかしながら、上記特許文献１の技術では、移動端末が移動していない状態でも、無線基地局から送信される周辺セルの情報に従い、セルサーチを一定間隔で繰り返すことになる。このとき、移動端末は、より受信レベルの高いセルがない場合には、位置登録信号を発射しないが、従来の無線装置のように無駄なセルサーチを繰り返し、無駄な電力を消費してしまうことになる。
【００５７】
なお、移動端末が移動していない状態で、位置登録信号を頻繁に発射することは少なく、消費電力の低減を図るという点では、無駄な位置登録信号の発射を低減するよりも、無駄なセルサーチを低減する方が大きな効果を得ることになる。また、受信できる電波のない状況で、移動端末が位置登録信号を発射することはないため、上記特許文献１に開示されている技術では、消費電力の低減を図るという効果があまり期待できない。
【００５８】
このため、本実施形態の無線装置（ＳＴＡ）のように、無線装置（ＳＴＡ）が静止状態と判断した場合は、セルサーチを実施しないように制御することで、無線基地局から送信される周辺セル情報に多数のセルが登録されていた場合でも、無駄なセルサーチを行うことがないため、上記特許文献１よりも消費電力を低減することが可能となる。
【００５９】
（第２の実施形態）
次に、第２の実施形態について説明する。
【００６０】
第１の実施形態における無線装置（ＳＴＡ）は、加速度センサ（５）により測定した加速度を基に、無線装置（ＳＴＡ）が移動状態か静止状態かを判断することにした。
【００６１】
第２の実施形態における無線装置（ＳＴＡ）は、ＧＰＳ（Global Positioning System）機能により取得した位置情報を基に、無線装置（ＳＴＡ）が移動状態か静止状態かを判断する。これにより、第１の実施形態と同様に、無線装置（ＳＴＡ）が移動状態か静止状態かを判断し、無線装置（ＳＴＡ）が移動状態と判断した場合は、セルサーチを実施し、無線装置（ＳＴＡ）が静止状態と判断した場合は、セルサーチを実施しないように制御することが可能となる。
【００６２】
例えば、図６に示すように、無線装置（ＳＴＡ）は、時間『Ｔ１』毎にＧＰＳ機能を制御し、ＧＰＳ機能により無線装置（ＳＴＡ）の位置情報を取得する（ステップＳ１）。
【００６３】
そして、無線装置（ＳＴＡ）は、ＧＰＳ機能により取得した位置情報が前回取得した位置情報と同一情報であり、ＧＰＳ機能により取得した位置情報が変更していないと判断した場合は（ステップＳ２／Ｎｏ）、無線装置（ＳＴＡ）が静止状態と判断し、セルサーチを実施しないように制御する。
【００６４】
また、無線装置（ＳＴＡ）は、ＧＰＳ機能により取得した位置情報が変更していると判断した場合は（ステップＳ２／Ｙｅｓ）、無線装置（ＳＴＡ）が移動状態と判断し、セルサーチを実施するように制御する（ステップＳ３）。
【００６５】
これにより、無線装置（ＳＴＡ）が静止状態の場合には、不要なセルサーチやセルリセレクションを行うことがないため、無線装置（ＳＴＡ）の消費電力を低減することが可能となる。
【００６６】
なお、上述した実施形態においては、ＧＰＳ機能を用いて無線装置（ＳＴＡ）の位置情報を取得することにしたが、無線装置（ＳＴＡ）の位置情報を取得することが可能な機能であれば、あらゆる機能を適用することは可能である。
【００６７】
また、ＧＰＳ機能により取得した位置情報が変更しているか否かを判断する際には、所定の誤差（Δ）を考慮して、ＧＰＳ機能により取得した位置情報が変更しているか否かを判断するように構築することも可能である。
【００６８】
（第３の実施形態）
次に、第３の実施形態について説明する。
【００６９】
第３の実施形態における無線装置（ＳＴＡ）は、万歩計（登録商標）機能により取得した情報を基に、無線装置（ＳＴＡ）が移動状態か静止状態かを判断する。これにより、第１の実施形態と同様に、無線装置（ＳＴＡ）が移動状態か静止状態かを判断し、無線装置（ＳＴＡ）が移動状態と判断した場合は、セルサーチを実施し、無線装置（ＳＴＡ）が静止状態と判断した場合は、セルサーチを実施しないように制御することが可能となる。
【００７０】
例えば、無線装置（ＳＴＡ）は、万歩計（登録商標）機能を搭載し、無線装置（ＳＴＡ）の振動に伴い、無線装置（ＳＴＡ）の振動数をカウントする。
【００７１】
そして、図７に示すように、無線装置（ＳＴＡ）は、時間『Ｔ１』毎に、万歩計（登録商標）機能によりカウントした無線装置（ＳＴＡ）の振動数を取得する（ステップＳ１）。
【００７２】
そして、無線装置（ＳＴＡ）は、万歩計（登録商標）機能により取得した無線装置（ＳＴＡ）の振動数が前回取得した振動数と同一であり、無線装置（ＳＴＡ）の振動数が増加していないと判断した場合は（ステップＳ２／Ｎｏ）、無線装置（ＳＴＡ）が静止状態と判断し、セルサーチを実施しないように制御する。
【００７３】
また、無線装置（ＳＴＡ）は、無線装置（ＳＴＡ）の振動数が増加していると判断した場合は（ステップＳ２／Ｙｅｓ）、無線装置（ＳＴＡ）が移動状態と判断し、セルサーチを実施するように制御する（ステップＳ３）。
【００７４】
これにより、無線装置（ＳＴＡ）が静止状態の場合には、不要なセルサーチやセルリセレクションを行うことがないため、無線装置（ＳＴＡ）の消費電力を低減することが可能となる。
【００７５】
なお、上述した実施形態においては、万歩計（登録商標）機能を基に、無線装置（ＳＴＡ）の振動数を計数することにしたが、無線装置（ＳＴＡ）の振動数を計数することが可能であれば、あらゆる機能を適用することは可能である。
【００７６】
また、無線装置（ＳＴＡ）の振動数が増加しているか否かを判断する際には、所定の誤差（Δ）を考慮して、無線装置（ＳＴＡ）の振動数が増加しているか否かを判断するように構築することも可能である。
【００７７】
（第４の実施形態）
次に、第４の実施形態について説明する。
【００７８】
第４の実施形態における無線装置（ＳＴＡ）は、カメラ（７）にて撮像した撮像情報を基に、無線装置（ＳＴＡ）が移動状態か静止状態かを判断する。これにより、第１の実施形態と同様に、無線装置（ＳＴＡ）が移動状態か静止状態かを判断し、無線装置（ＳＴＡ）が移動状態と判断した場合は、セルサーチを実施し、無線装置（ＳＴＡ）が静止状態と判断した場合は、セルサーチを実施しないように制御することが可能となる。
【００７９】
例えば、図８に示すように、無線装置（ＳＴＡ）は、時間『Ｔ１』毎に、カメラ（７）を制御し、無線装置（ＳＴＡ）の周辺の状況を一定時間（または定期的に）撮像し、無線装置（ＳＴＡ）の周辺の撮像情報を取得する（ステップＳ１）。
【００８０】
そして、無線装置（ＳＴＡ）は、カメラ（７）により一定時間（または定期的に）撮像した撮像情報を基に、カメラ（７）により撮像した撮像情報が変化していないと判断した場合は（ステップＳ２／Ｎｏ）、無線装置（ＳＴＡ）が静止状態と判断し、セルサーチを実施しないように制御する。
【００８１】
また、無線装置（ＳＴＡ）は、カメラ（７）により撮像した撮像情報が変化していると判断した場合は（ステップＳ２／Ｙｅｓ）、無線装置（ＳＴＡ）が移動状態と判断し、セルサーチを実施するように制御する（ステップＳ３）。
【００８２】
これにより、無線装置（ＳＴＡ）が静止状態の場合には、不要なセルサーチやセルリセレクションを行うことがないため、無線装置（ＳＴＡ）の消費電力を低減することが可能となる。
【００８３】
なお、カメラ（７）により撮像する画像は、無線装置（ＳＴＡ）の周辺の状況の変化を検出することが可能であれば、特に限定するものではなく、例えば、静止画像や動画像が適用可能である。
【００８４】
また、カメラ（７）により撮像した撮像情報が変化しているか否かを判断する際には、所定の誤差（Δ）を考慮して、撮像情報が変化しているか否かを判断するように構築することも可能である。
【００８５】
（第５の実施形態）
次に、第５の実施形態について説明する。
【００８６】
上述した実施形態においては、無線装置（ＳＴＡ）が静止状態の場合には、セルサーチを実施しないように制御し、無線装置（ＳＴＡ）の消費電力を低減することにした。
【００８７】
第５の実施形態における無線装置（ＳＴＡ）は、無線装置（ＳＴＡ）が静止状態の場合には、セルサーチを実施しないように制御するだけでなく、制御部（３）に供給するクロック周波数を低減することを特徴とする。
【００８８】
これにより、更に、無線装置（ＳＴＡ）の消費電力を低減することが可能となる。
【００８９】
例えば、図４を例として説明すると、加速度センサ（５）により測定した加速度が０（加速度＝０）である場合には、クロック部（４）は、無線装置（ＳＴＡ）が静止状態と判断し、クロック部（４）は、制御部（３）に供給するクロック周波数を低減する。これにより、制御部（３）における制御を低減することが可能となるため、無線装置（ＳＴＡ）の消費電力を低減することが可能となる。
【００９０】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００９１】
例えば、無線装置（ＳＴＡ）が移動状態か静止状態かを判断する方法としては、方位センサ、温度センサ等も適用可能であり、方位センサや温度センサにより取得した変動量が所定の閾値以上であれば、無線装置（ＳＴＡ）が移動状態と判断し、所定の閾値未満であれば、無線装置（ＳＴＡ）が静止状態と判断するように構築することも可能である。なお、閾値は、任意に設定変更することは可能である。
【００９２】
また、無線装置（ＳＴＡ）が移動状態か静止状態かを判断する方法として上記実施形態において説明した、加速度センサ、ＧＰＳ機能、万歩計（登録商標）機能、カメラ機能、の何れを適用するかを任意に設定するように構築することも可能である。
【００９３】
また、上述した実施形態における時間『Ｔ１』は、任意に設定変更するように構築することも可能である。
【００９４】
例えば、従来の無線装置（ＳＴＡ）は、消費電力を低減するために、ある程度長い周期でセルサーチを実施しているが、消費電力の少ない加速度センサ（５）の動作周期『Ｔ１』を、セルサーチの周期より短く設定することで、無線装置（ＳＴＡ）の移動状態をいち早く検知し、それに合わせてセルサーチを実施することで、受信レベルの良い無線基地局（ＡＰ２）を比較的早く検出することが可能となる。
【００９５】
また、無線装置（ＳＴＡ）が圏外状態であり、且つ、無線装置（ＳＴＡ）が静止状態の場合には、アンテナ（１）、無線部（２）への電力供給を停止するように制御することも可能である。これにより、無線装置（ＳＴＡ）の消費電力を更に低減することが可能となる。
【００９６】
例えば、無線装置（ＳＴＡ）が圏外状態（どの無線基地局からも電波を受信していない状態）であり、且つ、加速度＝０の場合は、アンテナ（１）、無線部（２）への電力供給を停止することで、圏外状態時の消費電力を低減することが可能となる。そして、加速度＝０でなく、無線装置（ＳＴＡ）が移動状態であると判断した場合に、アンテナ（１）、無線部（２）への電力供給を復帰することで、無線装置（ＳＴＡ）の移動状態時の圏内復帰を行うことが可能となる。
【００９７】
また、上述した実施形態における無線装置（ＳＴＡ）における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、上述した無線装置（ＳＴＡ）に読み込ませることで、上述した制御動作を、無線装置（ＳＴＡ）において実行させることも可能である。また、所定のネットワークを介して接続されている外部機器から上記プログラムを上述した無線装置（ＳＴＡ）に読み込ませることで、上述した制御動作を、無線装置（ＳＴＡ）において実行させることも可能である。
【産業上の利用可能性】
【００９８】
本発明にかかる無線装置、消費電力制御方法及び消費電力制御プログラムは、ＰＨＳ（Personal Handy phone System）、ＰＤＡ（Personal Data Assistance，Personal Digital Assistants）等の無線装置に適用可能である。
【図面の簡単な説明】
【００９９】
【図１】本実施形態の無線装置（ＳＴＡ）の特徴を説明するための第１の図である。
【図２】本実施形態の無線装置（ＳＴＡ）の特徴を説明するための第２の図である。
【図３】本実施形態の無線装置（ＳＴＡ）の特徴を説明するための第３の図である。
【図４】本実施形態の無線装置（ＳＴＡ）の内部構成を示すブロック図である。
【図５】本実施形態の無線装置（ＳＴＡ）における制御動作を説明するためのフローチャートである。
【図６】第２の実施形態の無線装置（ＳＴＡ）における制御動作を説明するためのフローチャートである。
【図７】第３の実施形態の無線装置（ＳＴＡ）における制御動作を説明するためのフローチャートである。
【図８】第４の実施形態の無線装置（ＳＴＡ）における制御動作を説明するためのフローチャートである。
【符号の説明】
【０１００】
ＳＴＡ    無線装置
ＡＰ１、ＡＰ２    無線基地局
１    アンテナ
２    無線部
３    制御部
４    クロック部
５    加速度センサ
６    表示部
７    キー操作部
８    カメラ
９    ＲＡＭ
１０    ＲＯＭ
【図１】
2008187523.tif 000003
【図２】
2008187523.tif 000004
【図３】
2008187523.tif 000005
【図４】
2008187523.tif 000006
【図５】
2008187523.tif 000007
【図６】
2008187523.tif 000008
【図７】
2008187523.tif 000009
【図８】
2008187523.tif 000010